【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
オーディオ信号を受信し、
ツリー構造情報及び空間パラメータを含む空間情報を受信し、
前記空間情報に拡張空間情報を追加して変形空間情報を生成し、
前記ツリー構造情報及び前記変形空間情報を用いてオーディオ信号をアップミキシングする、オーディオ信号のデコーディング方法であって、
前記アップミキシングにおいて、
前記ツリー構造情報に基づいて前記オーディオ信号を１次アップミキシングオーディオ信号に変換し、
前記１次アップミキシングオーディオ信号を２次アップミキシングオーディオ信号に変換する、
ことを特徴とする、オーディオ信号のデコーディング方法。
【請求項２】
前記オーディオ信号は、マルチチャンネルオーディオ信号がダウンミックスされたダウンミックスオーディオ信号であり、
前記空間情報は、前記マルチチャンネルオーディオ信号が定められたツリー構造にしたがってダウンミックスされる過程で決定されることを特徴とする、請求項１に記載のオーディオ信号のデコーディング方法。
【請求項３】
前記変形空間情報は、前記空間情報及び前記拡張空間情報に基づいて算出されるマトリックスであり、
前記マトリックスを構成する因子は、前記空間パラメータ、及び前記拡張空間情報の拡張空間パラメータによって定義されることを特徴とする、請求項１に記載のオーディオ信号のデコーディング方法。
【請求項４】
前記拡張空間情報は、拡張チャンネル構成情報及び拡張空間パラメータを含み、
前記拡張チャンネル構成情報は、分割識別子及び未分割識別子のうちの少なくとも一つを含むことを特徴とする、請求項１に記載のオーディオ信号のデコーディング方法。
【請求項５】
前記拡張空間パラメータは、チャンネル間レベル差を含むことを特徴とする、請求項４に記載のオーディオ信号のデコーディング方法。
【請求項６】
前記拡張空間情報は受信したものであり、
前記拡張空間パラメータは、前記分割識別子の総個数だけ抽出されたことを特徴とする、請求項４に記載のオーディオ信号のデコーディング方法。
【請求項７】
前記アップミキシングにおいて、
さらに前記分割識別子とマッチングする拡張空間パラメータを用いて、前記分割識別子とマッチングするチャンネルを２つ以上のチャンネルに分割し、
前記分割は、前記分割識別子の総個数だけ繰り返されることを特徴とする、請求項４に記載のオーディオ信号のデコーディング方法。
【請求項８】
前記アップミキシングにおいて、さらに前記未分割識別子とマッチングするチャンネルを出力チャンネルとして選択し、
前記選択は、前記未分割識別子の総個数だけ繰り返されることを特徴とする、請求項４に記載のオーディオ信号のデコーディング方法。
【請求項９】
前記拡張空間情報は、拡張チャンネルマッピング情報を含み、
前記アップミキシングの後、さらに前記拡張チャンネルマッピング情報を用いて出力チャンネルオーディオ信号をリマッピングすることを特徴とする、請求項１に記載のオーディオ信号のデコーディング方法。
【請求項１０】
空間情報に拡張空間情報を追加して変形空間情報を生成する変形空間情報生成部と、
ツリー構造情報及び前記変形空間情報を用いてオーディオ信号をアップミキシングする出力チャンネル生成部と、
を含み、
前記空間情報は前記ツリー構造情報及び空間パラメータを含み、前記空間情報及び前記オーディオ信号は受信したものであり、
前記出力チャンネル生成部は、前記ツリー構造情報に基づいて前記オーディオ信号を１次アップミキシングオーディオ信号に変換し、前記１次アップミキシングオーディオ信号を２次アップミキシングオーディオ信号に変換する、
ことを特徴とする、オーディオ信号のデコーディング装置。
【請求項１１】
前記オーディオ信号はマルチチャンネルオーディオ信号がダウンミックスされたダウンミックスオーディオ信号であり、
前記空間情報は、前記マルチチャンネルオーディオ信号が定められたツリー構造にしたがってダウンミックスされる過程で決定されることを特徴とする、請求項１１に記載のオーディオ信号のデコーディング装置。
【請求項１２】
前記変形空間情報は、前記空間情報及び前記拡張空間情報に基づいて算出されるマトリックスであり、
前記マトリックスを構成する因子は、前記空間パラメータ、及び前記拡張空間情報の拡張空間パラメータによって定義されることを特徴とする、請求項１０に記載のオーディオ信号のデコーディング装置。
【請求項１３】
前記拡張空間情報は、拡張チャンネル構成情報及び拡張空間パラメータを含み、
前記拡張チャンネル構成情報は、分割識別子及び未分割識別子のうちの少なくとも一つを含むことを特徴とする、請求項１０に記載のオーディオ信号のデコーディング装置。
【請求項１４】
前記拡張空間パラメータは、チャンネル間レベル差を含むことを特徴とする、請求項１３に記載のオーディオ信号のデコーディング装置。
【請求項１５】
前記拡張空間情報は受信したものであり、
前記拡張空間パラメータは、前記分割識別子の総個数だけ抽出されたことを特徴とする、請求項１３に記載のオーディオ信号のデコーディング装置。
【請求項１６】
前記出力チャンネル生成部は、前記分割識別子とマッチングする拡張空間パラメータを用いて、前記分割識別子とマッチングするチャンネルを２つ以上のチャンネルに分割し、
前記分割は、前記分割識別子の総個数だけ繰り返されることを特徴とする、請求項１３に記載のオーディオ信号のデコーディング装置。
【請求項１７】
前記出力チャンネル生成部は、前記未分割識別子とマッチングするチャンネルを出力チャンネルとして選択し、
前記選択は、前記未分割識別子の総個数だけ繰り返されることを特徴とする、請求項１３に記載のオーディオ信号のデコーディング装置。
【請求項１８】
前記拡張空間情報は、拡張チャンネルマッピング情報を含み、
前記出力チャンネル生成部は、前記拡張チャンネルマッピング情報を用いて出力チャンネルオーディオ信号をリマッピングすることを特徴とする、請求項１０に記載のオーディオ信号のデコーディング装置。
【手続補正２】
【補正対象書類名】明細書
【補正対象項目名】０００７
【補正方法】変更
【補正の内容】
【０００７】
上記の目的を達成するための本発明の一側面によれば、オーディオ信号及び空間情報を受信し、変形空間情報のタイプを識別し、前記空間情報を用いて前記変形空間情報を生成し、前記変形空間情報を用いて前記オーディオ信号をデコーディングする、オーディオ信号のデコーディング方法であって、前記変形空間情報のタイプは、部分空間情報、組合せ空間情報、及び拡大空間情報のうち一つ以上を含むことを特徴とするオーディオ信号のデコーディング方法が提供される。
【手続補正３】
【補正対象書類名】明細書
【補正対象項目名】０００８
【補正方法】変更
【補正の内容】
【０００８】
本発明の他の側面によれば、空間情報を受信し、前記空間情報を用いて組合せ空間情報を生成し、前記組合せ空間情報を用いてオーディオ信号をデコーディングする、オーディオ信号のデコーディング方法であって、前記組合せ空間情報は、前記空間情報に含まれる空間パラメータを組み合わせて生成されることを特徴とするオーディオ信号のデコーディング方法が提供される。
【手続補正４】
【補正対象書類名】明細書
【補正対象項目名】０００９
【補正方法】変更
【補正の内容】
【０００９】
本発明のさらに他の側面によれば、一つ以上の空間パラメータを含む空間情報、及び一つ以上のフィルタパラメータを含む空間フィルタ情報を受信し、前記空間パラメータ及び前記フィルタパラメータを組み合わせてサラウンド効果を持つ組合せ空間情報を生成し、前記組合せ空間情報を用いてオーディオ信号を仮想サラウンド信号に変換する、オーディオ信号のデコーディング方法が提供される。
【手続補正５】
【補正対象書類名】明細書
【補正対象項目名】００１０
【補正方法】変更
【補正の内容】
【００１０】
本発明のさらに他の側面によれば、オーディオ信号を受信し、ツリー構造情報及び空間パラメータを含む空間情報を受信し、前記空間情報に拡張空間情報を追加して変形空間情報を生成し、前記変形空間情報を用いてオーディオ信号をアップミキシングする、オーディオ信号のデコーディング方法であって、前記アップミキシングにおいて、前記ツリー構造情報に基づいて前記オーディオ信号を１次アップミキシングオーディオ信号に変換し、前記拡張空間情報に基づいて、前記１次アップミキシングオーディオ信号を２次アップミキシングオーディオ信号に変換することを特徴とするオーディオ信号のデコーディング方法が提供される。